(57)【特許請求の範囲】
【請求項１】
デファレンシャルギアを介して車輪に連結された電動機を備える電動車両の制御装置であって、
ドライブシャフト又は駆動輪の回転速度に基づく車速を検出する車速検出手段と、
アクセル開度を検出するアクセル開度検出手段と、
前記アクセル開度が大きくなるほど出力が大きくなるように前記電動機を制御する電動機制御手段と、
トラクションコントロール機能がオフの状態で、前記車速検出手段によって前記車速が所定の速度閾値以上となったことが検出されると、前記電動機の出力の上昇を制限する出力制限手段と、
前記電動車両の重量を検出する重量検出手段と、を備え、
前記出力制限手段は、前記アクセル開度が所定の開度閾値以上での前記電動機の出力の上昇を制限し、且つ前記重量検出手段によって検出される前記電動車両の重量が重いほど前記開度閾値を低い値に変更する
ことを特徴とする電動車両の制御装置。
【請求項２】
請求項１に記載の電動車両の制御装置であって、
前記出力制限手段は、前記重量検出手段によって検出される前記電動車両の重量が軽いほど前記速度閾値を低い値に変更する
ことを特徴とする電動車両の制御装置。
【請求項３】
請求項１又は２に記載の電動車両の制御装置であって、
前記電動車両の傾斜状態を検出する傾斜状態検出手段を備え、
前記出力制限手段は、前記アクセル開度が所定の開度閾値以上での前記電動機の出力の上昇を制限し、且つ前記傾斜状態検出手段の検出結果に基づいて、前記電動車両が下り坂における前傾状態でありその傾斜角度が大きいほど前記開度閾値を低い値に変更する
ことを特徴とする電動車両の制御装置。
【請求項４】
デファレンシャルギアを介して車輪に連結された電動機を備える電動車両の制御装置であって、
ドライブシャフト又は駆動輪の回転速度に基づく車速を検出する車速検出手段と、
アクセル開度を検出するアクセル開度検出手段と、
前記アクセル開度が大きくなるほど出力が大きくなるように前記電動機を制御する電動機制御手段と、
トラクションコントロール機能がオフの状態で、前記車速検出手段によって前記車速が所定の速度閾値以上となったことが検出されると、前記電動機の出力の上昇を制限する出力制限手段と、
前記電動車両の傾斜状態を検出する傾斜状態検出手段と、を備え、
前記出力制限手段は、前記アクセル開度が所定の開度閾値以上での前記電動機の出力の上昇を制限し、且つ前記傾斜状態検出手段の検出結果に基づいて、前記電動車両が下り坂における前傾状態でありその傾斜角度が大きいほど前記開度閾値を低い値に変更する
ことを特徴とする電動車両の制御装置。
【請求項５】
請求項３又は４に記載の電動車両の制御装置であって、
前記出力制限手段は、前記傾斜状態検出手段の検出結果に基づいて、前記電動車両が下り坂における前傾状態でありその傾斜角度が大きいほど前記速度閾値を低い値に変更する
ことを特徴とする電動車両の制御装置。
【請求項６】
請求項１から５の何れか一項に記載の電動車両の制御装置であって、
前記電動車両の旋回状態を検出する旋回状態検出手段を備え、
前記出力制限手段は、前記アクセル開度が所定の開度閾値以上での前記電動機の出力の上昇を制限し、且つ前記旋回状態検出手段の検出結果に基づいて、前記電動車両の旋回半径が小さいほど前記開度閾値を低い値に変更する
ことを特徴とする電動車両の制御装置。
【請求項７】
デファレンシャルギアを介して車輪に連結された電動機を備える電動車両の制御装置であって、
ドライブシャフト又は駆動輪の回転速度に基づく車速を検出する車速検出手段と、
アクセル開度を検出するアクセル開度検出手段と、
前記アクセル開度が大きくなるほど出力が大きくなるように前記電動機を制御する電動機制御手段と、
トラクションコントロール機能がオフの状態で、前記車速検出手段によって前記車速が所定の速度閾値以上となったことが検出されると、前記電動機の出力の上昇を制限する出力制限手段と、
前記電動車両の旋回状態を検出する旋回状態検出手段と、を備え、
前記出力制限手段は、前記アクセル開度が所定の開度閾値以上での前記電動機の出力の上昇を制限し、且つ前記旋回状態検出手段の検出結果に基づいて、前記電動車両の旋回半径が小さいほど前記開度閾値を低い値に変更する
ことを特徴とする電動車両の制御装置。
【請求項８】
請求項６又は７に記載の電動車両の制御装置であって、
前記出力制限手段は、前記旋回状態検出手段の検出結果に基づいて、前記電動車両の旋回半径が小さいほど前記速度閾値を低い値に変更する
ことを特徴とする電動車両の制御装置。
【発明の詳細な説明】
【技術分野】
【０００１】
本発明は、デファレンシャルギアを介して車輪に連結される電動機を備えた電動車両の制御装置に関し、特に、トラクションコントロール機能がオフの状態での電動機の出力（トルク）を制御する技術に関する。
【背景技術】
【０００２】
電動車両には、車輪を回転させるための動力を発生する走行用モータ（電動機）を備えた電気自動車（ＥＶ）や、走行用モータとエンジンとを備えたハイブリッド電気自動車（ＨＥＶ）等がある。これらの電動車両において走行用モータは、バッテリから供給される電力によって電動車両を走行させるための動力を発生する。そして電動車両では、アクセルを踏み込むことで、その踏み込み量の増加に応じて走行用モータの出力を増加させる制御（力行制御）を実行している。また走行用モータは、一般的に、デファレンシャルキア（差動装置）を介して左右の駆動輪に連結されており、このデファレンシャルギアにより左右の車輪の回転数差が吸収されている。
【０００３】
ところで電動車両には、各車輪の空転（スリップ）により駆動力が伝わらなくなるのを防ぐため、車輪のスリップを検出したときに、駆動源である走行用モータの出力（トルク）を抑制したり、スリップしている車輪に制動力を与えたりすることで当該スリップを抑制する、いわゆるトラクションコントロール機能を備えているものがある（例えば、特許文献１参照）。
【先行技術文献】
【特許文献】
【０００４】
【特許文献１】特許第４８０２６４３号公報
【発明の概要】
【発明が解決しようとする課題】
【０００５】
トラクションコントロール機能をオンにしておくことで、スリップの発生を抑制することができる一方、例えば、急な坂道を上りたい場合や、轍を乗り越えたい場合等のように走行用モータの高い出力が要求される場合に、所望の出力が得られない虞がある。
【０００６】
このような問題を解消するために、例えば、スイッチ操作により、トラクションコントロール機能をオフにできる電動車両もある。トラクションコントロール機能をオフにすることで、状況に応じ所望の出力は得られるものの、必要以上に出力が上昇してしまう虞がある。
【０００７】
ところで、電動車両の走行用モータは、低回転から高トルクを出せる特性を有している。このため、トラクションコントロール機能がオフの状態では、車両が低速あるいは停止した状態でアクセルペダルを強く踏み込むことにより、駆動輪のスリップ、いわゆるホイールスピンが起こり易い。
【０００８】
さらに、例えば、左右の駆動輪が接する路面のμ（摩擦係数）が異なっている状態でアクセルペダルを強く踏み込むと、左右の駆動輪の一方のみでホイールスピンが起こり、左右の駆動輪で大きな回転数差が生じてしまう。この回転数差は、上述のようにデファレンシャルギアによって吸収されるが、回転数差が過大になりまた長期に亘って継続すると、そのことに起因してデファレンシャルギアが破損してしまう虞がある。
【０００９】
なお、このような問題は、トラクションコントロール機能がオフの状態で発生するものであるが、当然、トラクションコントロール機能を備えていない電動車両においても起こり得る。
【００１０】
本発明は、このような事情に鑑みてなされたものであり、坂道等でも良好に発進することができ、且つ左右の駆動輪の回転数差に起因するデファレンシャルギアの破損を抑制することができる電動車両の制御装置を提供することを目的とする。
【課題を解決するための手段】
【００１１】
上記課題を解決する本発明の第１の態様は、デファレンシャルギアを介して車輪に連結された電動機を備える電動車両の制御装置であって、ドライブシャフト又は駆動輪の回転速度に基づく車速を検出する車速検出手段と、アクセル開度を検出するアクセル開度検出手段と、前記アクセル開度が大きくなるほど出力が大きくなるように前記電動機を制御する電動機制御手段と、トラクションコントロール機能がオフの状態で、前記車速検出手段によって前記車速が所定の速度閾値以上となったことが検出されると、前記電動機の出力の上昇を制限する出力制限手段と、前記電動車両の重量を検出する重量検出手段と、を備え、
前記出力制限手段は、前記アクセル開度が所定の開度閾値以上での前記電動機の出力の上昇を制限し、且つ前記重量検出手段によって検出される前記電動車両の重量が重いほど前記開度閾値を低い値に変更することを特徴とする電動車両の制御装置にある。
【００１３】
本発明の第２の態様は、第１の態様の電動車両の制御装置であって、前記出力制限手段は、前記重量検出手段によって検出される前記電動車両の重量が軽いほど前記速度閾値を低い値に変更することを特徴とする電動車両の制御装置にある。
【００１４】
本発明の第３の態様は、第１又は２の態様の電動車両の制御装置であって、前記電動車両の傾斜状態を検出する傾斜状態検出手段を備え、前記出力制限手段は、前記アクセル開度が所定の開度閾値以上での前記電動機の出力の上昇を制限し、且つ前記傾斜状態検出手段の検出結果に基づいて、前記電動車両が下り坂における前傾状態でありその傾斜角度が大きいほど前記開度閾値を低い値に変更することを特徴とする電動車両の制御装置にある。
本発明の第４の態様は、デファレンシャルギアを介して車輪に連結された電動機を備える電動車両の制御装置であって、ドライブシャフト又は駆動輪の回転速度に基づく車速を検出する車速検出手段と、アクセル開度を検出するアクセル開度検出手段と、前記アクセル開度が大きくなるほど出力が大きくなるように前記電動機を制御する電動機制御手段と、トラクションコントロール機能がオフの状態で、前記車速検出手段によって前記車速が所定の速度閾値以上となったことが検出されると、前記電動機の出力の上昇を制限する出力制限手段と、前記電動車両の傾斜状態を検出する傾斜状態検出手段と、を備え、前記出力制限手段は、前記アクセル開度が所定の開度閾値以上での前記電動機の出力の上昇を制限し、且つ前記傾斜状態検出手段の検出結果に基づいて、前記電動車両が下り坂における前傾状態でありその傾斜角度が大きいほど前記開度閾値を低い値に変更することを特徴とする電動車両の制御装置にある。
【００１５】
本発明の第５の態様は、第３又は４の態様の電動車両の制御装置であって、前記出力制限手段は、前記傾斜状態検出手段の検出結果に基づいて、前記電動車両が下り坂における前傾状態でありその傾斜角度が大きいほど前記速度閾値を低い値に変更することを特徴とする電動車両の制御装置にある。
【００１６】
本発明の第６の態様は、第１から５の何れか一つの態様の電動車両の制御装置であって、前記電動車両の旋回状態を検出する旋回状態検出手段を備え、前記出力制限手段は、前記アクセル開度が所定の開度閾値以上での前記電動機の出力の上昇を制限し、且つ前記旋回状態検出手段の検出結果に基づいて、前記電動車両の旋回半径が小さいほど前記開度閾値を低い値に変更することを特徴とする電動車両の制御装置にある。
本発明の第７の態様は、デファレンシャルギアを介して車輪に連結された電動機を備える電動車両の制御装置であって、ドライブシャフト又は駆動輪の回転速度に基づく車速を検出する車速検出手段と、アクセル開度を検出するアクセル開度検出手段と、前記アクセル開度が大きくなるほど出力が大きくなるように前記電動機を制御する電動機制御手段と、トラクションコントロール機能がオフの状態で、前記車速検出手段によって前記車速が所定の速度閾値以上となったことが検出されると、前記電動機の出力の上昇を制限する出力制限手段と、前記電動車両の旋回状態を検出する旋回状態検出手段と、を備え、前記出力制限手段は、前記アクセル開度が所定の開度閾値以上での前記電動機の出力の上昇を制限し、且つ前記旋回状態検出手段の検出結果に基づいて、前記電動車両の旋回半径が小さいほど前記開度閾値を低い値に変更することを特徴とする電動車両の制御装置にある。
【００１７】
本発明の第８の態様は、第６又は７の態様の電動車両の制御装置であって、前記出力制限手段は、前記旋回状態検出手段の検出結果に基づいて、前記電動車両の旋回半径が小さいほど前記速度閾値を低い値に変更することを特徴とする電動車両の制御装置にある。
【発明の効果】
【００１８】
かかる本発明によれば、坂道でも良好に発進することができ、且つ左右の駆動輪の回転数差に起因するデファレンシャルギアの破損を抑制した電動車両を実現することができる。
【図面の簡単な説明】
【００１９】
【図１】本発明に係る制御装置を備える電動車両の概略構成を示す図である。
【図２】本発明の実施形態１に係る制御装置の概略構成を示すブロック図である。
【図３】車速とモータトルクの上限値との関係を示すグラフである。
【図４】走行開始からの経過時間と左右の駆動輪の回転数差及び車速との関係を示すグラフである。
【図５】本発明の実施形態２に係る制御装置の概略構成を示すブロック図である。
【図６】本発明の実施形態３に係る制御装置の概略構成を示すブロック図である。
【図７】本発明の実施形態４に係る制御装置の概略構成を示すブロック図である。
【発明を実施するための形態】
【００２０】
以下、本発明の実施形態について図面を参照して詳細に説明する。
（実施形態１）
まずは、本発明に係る制御装置を備える電動車両の概略構成について簡単に説明する。
図１に示すように、電動車両１は、電気自動車（ＥＶ）であり、二次電池であるバッテリ２と、このバッテリ２からの電力供給により作動する電動機である走行用モータ３と、を備えている。走行用モータ３は、デファレンシャルギア（以下、単に「デフ」とも称する）４を介して駆動輪（本実施形態では、前輪）５に連結されている。走行用モータ３の動作は、制御装置としてのＥＣＵ（電子制御ユニット）１０によって制御される。
【００２１】
ＥＣＵ１０は、電動車両１に設けられた各種センサ、例えば、アクセルペダル３１のストローク（ＡＰＳ）を計測するアクセルペダルストロークセンサ３２、電動車両１の車速を計測する車速センサ３３等からの出力情報に基づいて走行用モータ３を適宜制御する。ＥＣＵ１０は、アクセルペダル３１が踏み込まれると、基本的には、アクセルペダル３１の踏み込み量が増加するほど出力（トルク）が大きくなるように走行用モータ３のインバータ（図示なし）を適宜制御する。
【００２２】
本実施形態に係るＥＣＵ１０は、図２に示すように、車速検出手段１１と、アクセル開度検出手段１２と、モータ制御手段１３と、出力制限手段１４と、を備えている。
【００２３】
車速検出手段１１と、車速センサ３３の出力情報に基づいて電動車両１の車速を検出する。ここで、車速センサ３３は、例えば、駆動輪（前輪）が接続されるドライブシャフトの回転速度に基づいて車速を計測する。このため、駆動輪５がホイールスピンしている場合でも、そのときの回転速度に基づいて車速が演算される。またアクセル開度検出手段１２は、アクセルペダルストロークセンサ３２の出力情報に基づいてアクセル開度を検出する。
【００２４】
モータ制御手段１３は、アクセル開度検出手段１２の検出結果に基づいて走行用モータ３を適宜制御する。詳しくは、モータ制御手段１３は、アクセルペダル３１が踏み込まれている場合、アクセルペダル３１の踏み込み量が大きくなるほど、つまりアクセル開度が大きくなるほど出力（トルク）が大きくなるように走行用モータ３を制御する。
【００２５】
出力制限手段１４は、車速検出手段１１によって計測される車速が所定の速度閾値以上である場合に、アクセル開度が所定の開度閾値以上での走行用モータ３の出力（トルク）の上昇を、例えば当該開度閾値における出力値が上限となるよう制限する。
【００２６】
ここで、本実施形態に係る電動車両１は、左右の駆動輪（前輪）５の回転数差が大きくならないように、左右の駆動輪５のブレーキや、走行用モータ３の出力を適宜制御する、いわゆるトラクションコントロール機能（アクティブスタビリティコントロール機能（ＡＳＣ）ともいう）を有している。またこのトラクションコントロール機能は、例えば、運転者が所定のスイッチを操作することでオフにすることができるようになっている。なおトラクションコントロール機能は、周知の機能であるため、ここでの詳細な説明は省略する。
【００２７】
そして出力制限手段１４は、トラクションコントロール機能がオフの状態である場合に、上述したように車速が所定の速度閾値以上となると、アクセル開度が所定の開度閾値以上での走行用モータ３の出力（トルク）の上昇を、例えば当該開度閾値における出力値が上限となるよう制限する。
【００２８】
以下、この出力制限手段１４による出力制限制御について説明する。
電動車両１では、車速に応じた走行用モータ３の出力（モータトルク）の最高値が、電動車両１の運転条件に対応して設定される。例えば、ＥＣＵ１０は、電動車両１の運転条件に応じたモータトルクのマップを複数記憶しており、電動車両１の運転条件が変更されると、対応するマップを読み出し、このマップに基づいて走行用モータ３を制御する。
【００２９】
例えば、トラクションコントロール機能がオフにされると、図３に点線で示すように、その運転条件に応じたモータトルクの最高値が設定される。すなわちトラクションコントロール機能がオフである運転状態に適した車速とモータトルクの最高値との関係が規定されたマップが読み出される。
【００３０】
そしてモータ制御手段１３は、このモータトルクの最高値を超えない範囲で走行用モータ３を制御する。基本的には、アクセル開度が全開（１００％）となった際に、この最高値のモータトルクを発揮されるように走行用モータ３を制御する。
【００３１】
しかしながら、本発明では、トラクションコントロール機能がオフの状態である場合、出力制限手段１４は、車速検出手段１１によって検出される電動車両１の速度が所定の速度閾値（本実施形態では、２０ｋｍ／ｈ）以上となると、アクセル開度検出手段１２によって検出されるアクセル開度が所定の開度閾値（本実施形態では、アクセル開度８０％）以上での走行用モータ３の出力（トルク）の上昇を制限する。すなわち、出力制限手段１４は、電動車両１の速度が所定の速度閾値（２０ｋｍ／ｈ）以上の範囲におけるモータトルクの最大値を、図３中に実線で示すように、所定量（本実施形態では２０％）だけ減少させる補正を行う。
【００３２】
したがって本実施形態では、車速が速度閾値（２０ｋｍ／ｈ）以上の速度範囲においては、アクセル開度を開度閾値（アクセル開度８０％）としたときに、最大のモータトルクが発揮され、それ以上アクセルペダル３１を踏み込んでも（アクセル開度を大きくしても）、モータトルクが上昇しないように制御される。或いは、アクセル開度が全開になるまでモータトルクは徐々に上昇するが、アクセル開度を全開（１００％）としたときに、アクセル開度８０％に相当するモータトルクが発揮されるようにしてもよい。
【００３３】
このように車速が速度閾値以上の範囲においては、モータトルクの最大値を制限するようにしたので、例えば、左右の駆動輪５に回転数差が生じた場合でも、回転数差を早期に抑制することができ、この回転数差に起因するデファレンシャルギア４の破損を抑制することができる。
【００３４】
図４は、左右の駆動輪の一方が低μ路（氷結路に相当）に接し、他方が高μ路（ウェットアスファルトに相当）に接した状態で、アクセルペダル３１を強く踏み込んだ際の駆動輪５の回転数差の変化を説明する図である。
【００３５】
図４に示すように、トラクションコントロール機能がオンの場合、電動車両１が停止した状態、或いは極低速の状態で、アクセルペダル３１を強く踏み込んでも、左右の駆動輪５の回転数の差（差回転数）の上昇は抑えられ（例えば、５００ｒｐｍ以下程度）、車速の上昇も比較的早い。
【００３６】
一方、トラクションコントロール機能がオフの場合、電動車両１が停止した状態、或いは極低速の状態で、アクセルペダル３１を強く踏み込むと（時刻ｔ１）、左右の駆動輪５の差回転数が急激に増加する。図４の例では、約２０００ｒｐｍまで上昇している。それに伴い、車速の上昇も、トラクションコントロールがオンのときに比べて遅くなる。そして従来は、このままアクセルペダル３１を踏み込んだ状態を維持すると、図中点線で示すように左右の駆動輪５の差回転数もそのまま継続されてしまい、デファレンシャルギア４の破損を招く虞があった。
【００３７】
しかしながら本実施形態では、上述のように車速が速度閾値（２０ｋｍ／ｈ）以上の速度範囲においてモータトルクの最大値を制限するようにしたので、左右の駆動輪５の回転数差を早期に抑制することができる。図４の例では、時刻ｔ２で車速が速度閾値（例えば、２０ｋｍ／ｈ）を超えると、アクセルペダル３１を強く踏み込んだ状態が維持されていても、左右の駆動輪５の差回転数は、例えば、半分程度（約１０００ｒｐｍ）まで低下する。
【００３８】
このようにトラクションコントロール機能がオフのときに、左右の駆動輪５の回転数差が大きくなった場合でも、その回転数差を早期に抑制することで、回転数差に起因するデファレンシャルギア４の破損を抑制することができる。
【００３９】
また出力制限手段１４は、車速が速度閾値よりも遅い場合には、モータトルクの上昇の制限は行わない。このため車速が速度閾値よりも遅い速度範囲では、アクセルペダル３１を強く踏み込むと、運転条件に応じて設定された最高値のモータトルクが発揮される。したがって、発進時に所望のモータトルクが得られ、坂道等であっても良好に電動車両１を発進させることができる。
【００４０】
（実施形態２）
本実施形態は、出力制限手段１４が、電動車両１の重量に応じて開度閾値や速度閾値を適宜変更するようにした例である。
【００４１】
図５に示すように、本実施形態に係るＥＣＵ１０は、上述した車速検出手段１１、アクセル開度検出手段１２、モータ制御手段１３及び出力制限手段１４に加えて、例えば、車高検出センサ３４によって計測される車高変化の情報等に基づいて電動車両１の重量を検出する重量検出手段１５をさらに有する。
【００４２】
そして、出力制限手段１４は、重量検出手段１５によって検出される電動車両１の重量が重いほど開度閾値を低い値に変更する。すなわちモータトルクの最高値がより低い値となるようにする。さらに出力制限手段１４は、重量検出手段１５によって検出される電動車両の重量が重いほど速度閾値を高い値に変更する。すなわちモータトルクの最高値が制限される範囲が狭まるように速度閾値を変更する。
【００４３】
このように電動車両１の重量に応じて開度閾値を適宜変更することで、デフの破損をより確実に抑制することができる。また速度閾値を適宜変更することで、坂道等であってもより良好に電動車両１を発進させることができる。例えば、電動車両１の重量が軽くなるほど駆動輪５の面圧が低くなり、駆動輪５のスピンが生じ易く、左右の駆動輪５の回転数差が大きくなり易い。しかし、速度閾値を低い値に設定することで、左右の駆動輪５の回転数差が生じた場合、この回転数差をより早期に抑制することができる。
【００４４】
（実施形態３）
本実施形態は、出力制限手段１４が、電動車両１の傾斜状態に応じて開度閾値や速度閾値を適宜変更するようにした例である。
【００４５】
図６に示すように、本実施形態に係るＥＣＵ１０は、上述した車速検出手段１１、アクセル開度検出手段１２、モータ制御手段１３及び出力制限手段１４に加えて、傾斜状態検出手段１６をさらに有する。傾斜状態検出手段１６は、例えば、電動車両１に設けられる傾斜センサ３５によって計測される情報等に基づいて、電動車両１の傾斜方向（前傾、後傾）及び傾斜角度の大きさを検出する。
【００４６】
そして、出力制限手段１４は、この傾斜状態検出手段１６によって電動車両１が前傾状態でありその傾斜角度が大きいほど、開度閾値を低い値に変更する。すなわち電動車両１が下り坂に位置し、その勾配が大きいほど、開度閾値を低い値に変更する。さらに出力制限手段１４は、傾斜状態検出手段１６によって検出される電動車両１の前傾状態における傾斜角度が大きいほど速度閾値を低い値に変更する。すなわち電動車両１が下り坂に位置し、その勾配が大きいほど速度閾値を高い値に変更する。
【００４７】
電動車両１が下り坂に位置している場合、発進時にはあまり大きなモータトルクは必要としない。このため、モータトルクの最大値の制限を強めることで、またモータトルクの最大値を制限する速度範囲を広げることで、電動車両１を良好に発進させることができ、且つデファレンシャルギア４の破損をより確実に抑制することができる。
【００４８】
（実施形態４）
本実施形態は、出力制限手段１４が、電動車両１の旋回状態に応じて開度閾値や速度閾値を適宜変更するようにした例である。
【００４９】
図７に示すように、本実施形態に係るＥＣＵ１０は、上述した車速検出手段１１、アクセル開度検出手段１２、モータ制御手段１３及び出力制限手段１４に加えて、電動車両１の旋回状態を検出する旋回状態検出手段１７をさらに有する。旋回状態検出手段１７は、例えば、ステアリングホイールの操舵角を検出するハンドル角センサ３６の出力情報に基づいて、電動車両１の旋回状態を検出する。なお旋回状態検出手段１７は、ハンドル角センサ３６の代わりに、例えば、ヨーレイトを検出するヨーレイトセンサの出力情報等に基づいて、電動車両１の旋回状態を検出するようにしてもよい。
【００５０】
そして、出力制限手段１４は、旋回状態検出手段１７によって電動車両１の旋回半径が小さいほど、開度閾値を低い値に変更する。さらに出力制限手段１４は、旋回状態検出手段１７によって検出される電動車両１の旋回半径が小さいほど速度閾値を低い値に変更する。
【００５１】
これにより、電動車両１を良好に発進させることができ、且つデファレンシャルギア４の破損をより確実に抑制することができ、さらに電動車両１の走行安定性を高めることができる。すなわち電動車両１の旋回半径が小さいほど、モータトルクの最大値の制限を強めることで、またモータトルクの最大値を制限する速度範囲を広げることで、電動車両１の急加速を抑制することができ、走行安定性を高めることができる。
【００５２】
以上、本発明の実施形態について説明したが、本発明は上述の実施形態に限定されるものではない。
【００５３】
例えば、上述の実施形態では、トラクションコントロール機能を有する電動車両を例示して本発明を説明したが、本発明は、トラクションコントロール機能を備えていない電動車両にも適用可能なものである。
【符号の説明】
【００５４】
１  電動車両
２  バッテリ
３  走行用モータ
４  デファレンシャルギア（デフ）
５  駆動輪（前輪）
１０  ＥＣＵ（制御装置）
１１  車速検出手段
１２  アクセル開度検出手段
１３  モータ制御手段（電動機制御手段）
１４  出力制限手段
１５  重量検出手段
１６  傾斜状態検出手段
１７  旋回状態検出手段
３１  アクセルペダル
３２  アクセルペダルストロークセンサ
３３  車速センサ
３４  車高検出センサ
３５  傾斜センサ
３６  ハンドル角センサ
【図１】
0006607348.tif 000002
【図２】
0006607348.tif 000003
【図３】
0006607348.tif 000004
【図４】
0006607348.tif 000005
【図５】
0006607348.tif 000006
【図６】
0006607348.tif 000007
【図７】
0006607348.tif 000008